【手続補正書】
【提出日】平成21年8月31日(2009.8.31)
【手続補正１】
【補正対象書類名】特許請求の範囲
【補正対象項目名】全文
【補正方法】変更
【補正の内容】
【特許請求の範囲】
【請求項１】
圧縮式冷凍機と凝縮器と減圧器と蒸発器とを有する圧縮式冷凍システムと、反応部と蒸発凝縮部とを有するケミカルヒートポンプと、を組み合わせたハイブリッド冷凍システム。
【請求項２】
前記ケミカルヒートポンプは、前記圧縮式冷凍システムの温熱または冷熱の少なくとも一つを利用する請求項１記載のハイブリッド冷凍システム。
【請求項３】
前記ケミカルヒートポンプの系内は、減圧されてなる請求項１又は２に記載のハイブリッド冷凍システム。
【請求項４】
前記蒸発凝縮部は、前記圧縮式冷凍システムから冷熱を受け取る凝縮器側熱交換器を有する請求項１乃至３のいずれかに記載のハイブリッド冷凍システム。
【請求項５】
前記凝縮器側熱交換器は、前記圧縮式冷凍システムの圧縮式冷凍機の前段に配置される請求項１乃至４のいずれかに記載のハイブリッド冷凍システム。
【請求項６】
前記反応部は複数の反応器を有して構成され、
前記蒸発凝縮部は、バルブを備えた蒸発器−凝縮器接続パイプにより接続された蒸発器及び凝縮器を有して構成され、
前記反応部−蒸発凝縮部接続パイプは、前記反応器のそれぞれと前記蒸発器を接続する反応器−蒸発器接続パイプと、前記反応器のそれぞれと前記凝縮器を接続する反応器−凝縮器接続パイプと、を有し、
前記反応器−蒸発器接続パイプには、複数の反応器−蒸発器制御バルブが備えられ、
前記反応器−凝縮器接続パイプには、複数の反応器−凝縮器制御バルブが備えられていることを特徴とする請求項１乃至５のいずれかに記載のハイブリッド冷凍システム。
【請求項７】
前記反応器には、化学蓄熱材が充填されてなることを特徴とする請求項６記載のハイブリッド冷凍システム。
【請求項８】
前記化学蓄熱材は、下記いずれかの反応に用いられる請求項７記載のハイブリッド冷凍システム。
【数１】
2008111592.tif 000001
【数２】
2008111592.tif 000002
【請求項９】
前記化学蓄熱材は、下記いずれかの反応に用いられる請求項７又は８に記載のハイブリッド冷凍システム。
【数３】
2008111592.tif 000003
【数４】
2008111592.tif 000004
【請求項１０】
圧縮式冷凍機と凝縮器と減圧器と蒸発器とを有する圧縮式冷凍システムと、反応部と蒸発凝縮部とを有するケミカルヒートポンプと、を組み合わせたハイブリッド冷凍車。
【請求項１１】
前記ケミカルヒートポンプの系内は、減圧されてなる請求項１０記載のハイブリッド冷凍車。
【請求項１２】
前記ケミカルヒートポンプは、反応部と、蒸発凝縮部と、前記反応器と前記蒸発凝縮部とを接続しかつ制御バルブを備える反応部−蒸発凝縮部接続パイプと、前記反応部に温熱を供給する高温側熱交換器と、前記蒸発凝縮部より冷熱をコンテナに供給する低温側熱交換器と、を有する請求項１０又は１１に記載のハイブリッド冷凍車。
【請求項１３】
前記蒸発凝縮部は、前記圧縮式冷凍システムから冷熱を受け取る凝縮器側熱交換器を有する請求項１０乃至１２のいずれかに記載のハイブリッド冷凍車。
【請求項１４】
前記高温側熱交換器は、前記反応部に配置され、該高温側熱交換器に温熱を供給する高温熱供給熱交換器はエンジン又はエンジンの排気管近傍に配置され、
前記低温側熱交換器は、コンテナの冷却手段近傍に配置され、該低温側熱交換器に冷熱を供給する低温熱供給熱交換器は、前記蒸発凝縮部に配置される請求項１０乃至１３のいずれかに記載のハイブリッド冷凍車。
【請求項１５】
前記凝縮器側熱交換器は、前記圧縮式冷凍器システムの圧縮式冷凍機の前段に配置される請求項１０乃至１４のいずれかに記載のハイブリッド冷凍車。
【請求項１６】
前記反応部は複数の反応器を有して構成され、
前記蒸発凝縮部は、バルブを備えた蒸発器−凝縮器接続パイプにより接続された蒸発器及び凝縮器を有して構成され、
前記反応部−蒸発凝縮部接続パイプは、前記反応器のそれぞれと前記蒸発器を接続する反応器−蒸発器接続パイプと、前記反応器のそれぞれと前記凝縮器を接続する反応器−凝縮器接続パイプと、を有し、
前記反応器−蒸発器接続パイプには、複数の反応器−蒸発器制御バルブが備えられ、
前記反応器−凝縮器接続パイプには、複数の反応器−凝縮器制御バルブが備えられていることを特徴とする請求項１０乃至し１５のいずれかに記載のハイブリッド冷凍車。
【請求項１７】
前記反応器には、化学蓄熱材が充填されてなることを特徴とする請求項１６記載のハイブリッド冷凍車。
【請求項１８】
前記化学蓄熱材は、下記いずれかの反応に用いられる請求項１７記載のハイブリッド冷凍車。
【数５】
2008111592.tif 000005
【数６】
2008111592.tif 000006
【請求項１９】
前記化学蓄熱材は、下記いずれかの反応に用いられる請求項１７又は１８に記載のハイブリッド冷凍車。
【数７】
2008111592.tif 000007
【数８】
2008111592.tif 000008
【請求項２０】
複数の反応器と、
バルブを備えた蒸発器−凝縮器接続パイプにより接続された蒸発器及び凝縮器と、
前記複数の反応器のそれぞれと前記蒸発器を接続し、かつ複数の反応器−蒸発器制御バルブが備えられた反応器−蒸発器接続パイプと、
前記複数の反応器のそれぞれと前記凝縮器を接続し、かつ複数の反応器−凝縮器制御バルブが備えられた反応器−凝縮器接続パイプと、
前記複数の反応器に温熱を供給可能な高温側熱交換器と、
前記蒸発器に冷熱を供給可能な低温側熱交換器と、を有するケミカルヒートポンプ。
【請求項２１】
前記反応器には、化学蓄熱材が充填されてなることを特徴とする請求項２０記載のケミカルヒートポンプ。
【請求項２２】
前記化学蓄熱材は、下記いずれかの反応に用いられる請求項２１記載のケミカルヒートポンプ。
【数９】
2008111592.tif 000009
【数１０】
2008111592.tif 000010
【請求項２３】
前記化学蓄熱材は、下記いずれかの反応に用いられる請求項２１又は２２に記載のハイブリッド冷凍車。
【数１１】
2008111592.tif 000011
【数１２】
2008111592.tif 000012
【手続補正２】
【補正対象書類名】明細書
【補正対象項目名】００１２
【補正方法】変更
【補正の内容】
【００１２】
また、本手段において、限定されるわけではないが、反応部は複数の反応器を有して構成され、蒸発凝縮部は、バルブを備えた蒸発器−凝縮器接続パイプにより接続された蒸発器及び凝縮器を有して構成され、反応部−蒸発凝縮部接続パイプは、反応器のそれぞれと蒸発器を接続する反応器−蒸発器接続パイプと、反応器のそれぞれと前記凝縮器を接続する反応器−凝縮器接続パイプと、を有し、反応器−蒸発器接続パイプには、複数の反応器−蒸発器制御バルブが備えられ、反応器−凝縮器接続パイプには、複数の反応器−凝縮器制御バルブが備えられていることも好ましく、反応器に下記反応式で表現される化学反応を実現できる化学蓄熱材が充填されてなることがより好ましい。
【数１】
2008111592.tif 000013
【数２】
2008111592.tif 000014
【手続補正３】
【補正対象書類名】明細書
【補正対象項目名】００１３
【補正方法】変更
【補正の内容】
【００１３】
なお、上記反応は、下記の反応を例示することができる。
【数３】
2008111592.tif 000015
【数４】
2008111592.tif 000016
【手続補正４】
【補正対象書類名】明細書
【補正対象項目名】００１７
【補正方法】変更
【補正の内容】
【００１７】
また、この場合において、限定されるわけではないが、反応器には、化学蓄熱材が充填されてなることが好ましく、この化学蓄熱材は、下記いずれかの反応に用いられることがより好ましい。
【数５】
2008111592.tif 000017
【数６】
2008111592.tif 000018
【手続補正５】
【補正対象書類名】明細書
【補正対象項目名】００１８
【補正方法】変更
【補正の内容】
【００１８】
また、限定されるわけではないが、上記反応は、具体的には、以下で示されるものであることがより好ましい。
【数７】
2008111592.tif 000019
【数８】
2008111592.tif 000020
【手続補正６】
【補正対象書類名】明細書
【補正対象項目名】００２０
【補正方法】変更
【補正の内容】
【００２０】
また、本手段において、限定されるわけではないが、反応器には、化学蓄熱材が充填されてなることが好ましく、この化学蓄熱材は、下記いずれかの反応に用いられるものであることがより好ましい。
【数９】
2008111592.tif 000021
【数１０】
2008111592.tif 000022
【手続補正７】
【補正対象書類名】明細書
【補正対象項目名】００２１
【補正方法】変更
【補正の内容】
【００２１】
なお、限定されるわけではないが、上記の化学蓄熱材は、下記いずれかの反応に用いられるものであることがより好ましい。
【数１１】
2008111592.tif 000023
【数１２】
2008111592.tif 000024
【手続補正８】
【補正対象書類名】明細書
【補正対象項目名】００２８
【補正方法】変更
【補正の内容】
【００２８】
反応器２１、２２、２３において用いられる化学反応としては、上記機能を実現できる限りにおいて限定されるわけではないが、例えば、下記式で示される反応の少なくともいずれかを用いることが好ましい。なお、反応器外部に熱を供給する際に用いられる蒸気は、下記の例においてはＨ２Ｏ（ｇ）であるが、使用する化学蓄熱材により異なりこれに限定されるものではない。
【数１３】
2008111592.tif 000025
【数１４】
2008111592.tif 000026
【手続補正９】
【補正対象書類名】明細書
【補正対象項目名】００３０
【補正方法】変更
【補正の内容】
【００３０】
【数１５】
2008111592.tif 000027
【数１６】
2008111592.tif 000028
【手続補正１０】
【補正対象書類名】明細書
【補正対象項目名】００３３
【補正方法】変更
【補正の内容】
【００３３】
蒸発凝縮部３は、図１で示すように反応部−蒸発凝縮部接続パイプ５を介して反応部２に接続され、蒸気を凝縮させることで放熱する一方、凝縮させた流体を蒸発させることで吸熱する（冷熱を与える）ことができるものである。なお、蒸発凝縮部３における蒸発、凝縮についての反応は、限定されるわけではないが以下に示す式をあげることができる。
【数１７】
2008111592.tif 000029